(57)【要約】【課題】インフルエンザ等の感染症の診察・診断において、医師に対しての患者からの飛沫の付着を防止することと、患者等から室内に飛散した飛沫等の処理を行うことのできる手段が従来は提案されていない。【解決手段】そこで本発明では、環状パイプ２を備えた防護装置本体１を支持手段３により適宜高さに支持可能とすると共に、前記環状パイプの前方側の下部に、弧状に空気噴出部８を設け、前記環状パイプの上側を空気遮断シート１０により覆うと共に、この空気遮断シートを、前方側に開口部が形成されるように環状パイプから下方に垂下させ、環状パイプには清浄空気供給装置６に連なる給気ダクト７を接続し、清浄空気供給装置は、防護装置を設置している室内空気を清浄化して循環させる系統を有する診察・診断用防護装置を提案する。【選択図】図１
2011161103.tif 000002
【特許請求の範囲】
【請求項１】
環状パイプを備えた防護装置本体を支持手段により適宜高さに支持可能とすると共に、前記環状パイプの前方側の下部に、弧状に空気噴出部を設け、前記環状パイプの上側を空気遮断シートにより覆うと共に、この空気遮断シートを、前方側に開口部が形成されるように環状パイプから下方に垂下させ、環状パイプには清浄空気供給装置に連なる給気ダクトを接続し、清浄空気供給装置は、防護装置を設置している室内空気を清浄化して循環させる系統を有することを特徴とする診察・診断用防護装置。
【請求項２】
室内空気を吸引して循環に供するための室内空気吸引部を、防護装置本体の下方よりも前方側の下部に設けたことを特徴とする請求項１に記載の診察・診断用防護装置。
【請求項３】
空気遮断シートは透明であることを特徴とする請求項１に記載の診察・診断用防護装置。
【発明の詳細な説明】
【技術分野】
【０００１】
本発明は、インフルエンザ（新型を含む。）等の感染症等の診察・診断に利用する防護装置に関するものである。
【背景技術】
【０００２】
インフルエンザ等の感染症対策として、医師等の、医療や公衆衛生の現場の専門識者が患者と接触するに当たって、個人防護具（PPE:Personal Protective Equipment）、例えば手袋、ガウン、ヘッドカバー又は帽子、マスク、エプロン等の装着が求められており、例えば国立感染症研究所感染症情報センターでは、そのホームページ上において、適切なPPEの選択や着脱等に関する情報が掲載されている。
【０００３】
このような個人防護具は、患者と接触する医師等が装着することを前提としており、診察時に患者が装着することは全く想定していない。即ち、診察時に患者がマスク等を装着していると、医師が患者の喉の粘膜の発赤等を観察したり、後述するような検体の採取が行えないからである。
【０００４】
ところでインフルエンザの感染の有無は、患者から鼻腔拭い液、咽頭拭い液又は鼻腔吸引液を検体として採取し、それを診断キットにより検査して判断を行っている。
【０００５】
この際、検体は、鼻腔拭い液では、鼻の奥に綿棒を挿入し、鼻甲介を数回こするようにして粘膜表皮を採取し、また咽頭拭い液は、のどの奥に綿棒を挿入し、数回こするようにして粘膜表皮を採取している。一方、鼻腔吸引液は、鼻の奥に吸引用チューブを挿入して鼻汁を採取している。
【０００６】
このような検体の採取に際して、特に、鼻腔拭い液の採取に際しては、綿棒が鼻の粘膜をくすぐることになるので、患者はくしゃみ反射によりくしゃみが出やすい。この場合には、くしゃみによる飛沫が医師等にかかったり、室内に飛散したりするので、患者がインフルエンザに感染していた場合には、そのウィルスが飛散して、感染予防上、非常に問題となる。
【０００７】
このように、インフルエンザに感染している患者からの飛沫に対して、医師は、上述したような個人防護具を装用することにより、自身の身体への付着を防止することができるが、室内に飛散した飛沫は、次に室内に入ってきた患者等への感染に繋がる恐れがあり、これを防ぐためには、何らかの除去処理を行わなければならないので、非常に面倒なことになる。
【０００８】
一方、花粉や埃などが目や鼻に侵入することから防護するために、例えば特許文献１や特許文献２には、帽子やサンバイザー等の前部に、ファンにより空気を送風して、顔前に空気によるエアカーテンを形成するようにした防護具が記載されている。
【０００９】
しかしながら、診察・診断用室内などにおいてこのような防護具を医師が使用したとしても、室内に飛散した飛沫の除去処理の問題を解決することはできない。
【先行技術文献】
【特許文献】
【００１０】
【特許文献１】特開２００６−３２６４７５号公報
【特許文献２】特開２００８−２１２６０３号公報
【発明の開示】
【発明が解決しようとする課題】
【００１１】
本発明が解決しようとする課題は、例えば、インフルエンザ等の感染症の診察・診断において、医師に対しての患者からの飛沫の付着を防止することと、患者等から室内に飛散した飛沫等の処理を行うことのできる手段が従来は提案されていないことにある。
【課題を解決するための手段】
【００１２】
以上の課題を解決するために，本発明では、環状パイプを備えた防護装置本体を支持手段により適宜高さに支持可能とすると共に、前記環状パイプの前方側の下部に、弧状に空気噴出部を設け、前記環状パイプの上側を空気遮断シートにより覆うと共に、この空気遮断シートを、前方側に開口部が形成されるように環状パイプから下方に垂下させ、環状パイプには清浄空気供給装置に連なる給気ダクトを接続し、清浄空気供給装置は、防護装置を設置している室内空気を清浄化して循環させる系統を有する診察・診断用防護装置を提案する。
【００１３】
また本発明では、上記の構成において、室内空気を吸引して循環に供するための室内空気吸引部を、防護装置本体の下方よりも前方側の下部に設けた診察・診断用防護装置を提案する。
【００１４】
また本発明では、上記の構成において、空気遮断シートは透明である診察・診断用防護装置を提案する。
【発明の効果】
【００１５】
本発明において、医師がインフルエンザ等の感染症の診察・診断を行う場合には、防護装置本体を構成する環状パイプを医師の頭上に位置させ、医師は身体を環状パイプから垂下している空気遮断シート内に囲まれた空間内に入り、清浄空気供給装置を動作させる。
【００１６】
一方、患者は、防護装置本体の前側の空気遮断シートの開口部の前方に座って、医師の診察・診断を受ける。
【００１７】
診察・診断の間、清浄空気供給装置から給気ダクトを経て環状パイプに供給された清浄空気は、弧状の空気噴出部から下方に噴出して、医師の顔前にエアカーテンを形成する。
【００１８】
このため患者がくしゃみや咳などをして飛沫が前方に飛散したとしても、飛沫はエアーカーテンに遮られて医師に掛かることを防止することができる。
【００１９】
一方、診察・診断用室内の空気は、室内空気吸引部から吸引されて、少なくともその一部が循環し、清浄空気供給装置においてＨＥＰＡフィルタやＵＬＰＡフィルタ等の清浄化手段により清浄化された後、再び、環状パイプの空気噴出部から下方に噴出して医師の顔前にエアカーテンを形成する。
【００２０】
このように診察・診断用室内の空気は室内空気吸引部から吸引されて清浄化されるため、患者から飛散した飛沫は、空気と共に室内から排出され、室内に残留しない。
【００２１】
このため前の患者から室内に飛散した飛沫が、室内に残留することによる、医師や、次に室内に入ってきた患者等への感染に繋がる恐れがなくなる。
【００２２】
室内空気を吸引して循環に供するための室内空気吸引部を、防護装置本体の下方よりも前方側の下部に設ければ、空気の下降流により患者から室内に飛散した飛沫の除去を効果的に行うことができる。
【００２３】
空気遮断シートは透明とすれば、医師の視界を遮らない。
【図面の簡単な説明】
【００２４】
【図１】図１は本発明の診察・診断用防護装置の実施の形態を装用状態において示す模式的正面図である。
【図２】図２は防護装置本体の断面説明図である。
【図３】図３は防護装置本体の底面説明図である。
【発明を実施するための形態】
【００２５】
次に、本発明の実施の形態を添付図面を参照して説明する。
まず図１〜図３に示す実施の形態において、符号１は環状パイプ２を備えた防護装置本体を示すもので、この防護装置本体１は適宜の支持手段３により、診察・診断用室４に適宜高さに支持可能としている。図２、図３に示すように、この実施の形態では、防護装置本体１は、環状パイプ２の直径方向に支持兼空気供給用パイプ５が設けられており、この支持兼空気供給用パイプ５に清浄空気供給装置６に連なる給気ダクト７が接続されている。そして環状パイプ２には、前方側の下部に、弧状に空気噴出部８が設けられている。また符号９は空気遮断シート１０を環状パイプ２に取り付けるための面ファスナーを有するバンド等の取付手段を示すものであり、この取付手段９はバンド以外に適宜の構成とすることができる。
【００２６】
また、診察・診断用室４には、防護装置本体１の下方よりも前方側の下部、例えば患者１２が座る椅子１３の下部前側等に室内空気吸引部１４を設け、この室内空気吸引部１４から清浄空気供給装置６に至る還流経路１５を構成すると共に、還流経路１５にはボリュームダンパー１６を設けた排気経路１７を設けている。一方、清浄空気供給装置６から環状パイプ２に至る、上記給気ダクト７を含む清浄空気供給経路１８を設けており、この清浄空気供給経路１８には、清浄空気の一部を防護装置本体１を経ずに診察・診断用室４に供給する清浄空気室内供給部１９を構成している。この供給割合は適宜に調節可能に構成することができる。
【００２７】
以上の構成において、図１は本発明の診察・診断用防護装置の使用状態を示すものであり、医師１１が患者１２に対してインフルエンザ等の感染症の診察・診断を行う場合には、防護装置本体１を構成する環状パイプ２を支持手段３により、医師１１の頭上に位置させ、医師１１は身体を環状パイプ２から垂下している空気遮断シート１０内に囲まれた空間内に入り、清浄空気供給装置６を動作させる。
【００２８】
一方、患者１２は、防護装置本体１の前側の空気遮断シート１０の開口部の前方に座って、医師１１の診察・診断を受ける。
【００２９】
診察・診断の間、清浄空気供給装置６から清浄空気供給経路１８の給気ダクト７を経て環状パイプ２に供給された清浄空気は、弧状の空気噴出部８から下方に噴出して、医師１１の顔前にエアカーテンを形成する。
【００３０】
このため患者１２がくしゃみや咳などをして飛沫が前方に飛散したとしても、飛沫はエアーカーテンに遮られて医師１１に掛かることを防止することができる。
【００３１】
一方、診察・診断用室４内の空気は、室内空気吸引部１４から吸引されて、少なくともその一部が還流経路１５から清浄空気供給装置６に至り、次いで清浄空気供給経路１８を経て循環し、清浄空気供給装置６においてＨＥＰＡフィルタやＵＬＰＡフィルタの清浄化手段により清浄化された後、再び、環状パイプ２の空気噴出部８から下方に噴出して医師１１の顔前にエアカーテンを形成する。
【００３２】
このように診察・診断用室４内の空気は室内空気吸引部１４から吸引されて清浄化されるため、患者から飛散した飛沫は、空気と共に診察・診断用室４内から排出され、室内に残留しない。
【００３３】
このため前の患者１２から診察・診断用室４内に飛散した飛沫が、室内に残留することにより、医師１１や、次に室内に入ってきた患者等への感染に繋がる恐れがなくなる。
【００３４】
この実施の形態では、室内空気を吸引して循環に供するための室内空気吸引部１４を、防護装置本体１の下方よりも前方側の下部に設けているので、空気の下降流により患者１２から室内に飛散した飛沫の除去を効果的に行うことができる。
【産業上の利用可能性】
【００３５】
以上に説明した本発明の診察・診断用防護装置は、病院や診療所等の医療機関の建物内に設置された通常の診察・診断用室において使用できることは勿論のこと、自動車やトレーラーなどの車両内に構成された移動型の診察・診断用室において使用することもでき、インフルエンザ等の感染症の診察・診断において、非常に有効に利用することができる。
【符号の説明】
【００３６】
１          防護装置本体
２          環状パイプ
３          支持手段
４          診察・診断用室
５          支持兼空気供給用パイプ
６          清浄空気供給装置
７          給気ダクト
８          空気噴出部
９          取付手段
１０        空気遮断シート
１１        医師
１２        患者
１３        椅子
１４        室内空気吸引部
１５        還流経路
１６        ボリュームダンパー
１７        排気経路
１８        清浄空気供給経路
１９        清浄空気室内供給部
【図１】
2011161103.tif 000003
【図２】
2011161103.tif 000004
【図３】
2011161103.tif 000005